(57)【特許請求の範囲】
【請求項１】
ドライバーユニットが外耳道に正対するように上記ドライバーユニットを内蔵するハウジングを耳内に挿入して使用するバーチカルタイプのヘッドホンに使用されるイヤーパッドの製造方法であって、
２枚の素材シートを重ね合わせ、
当該２枚の素材シートの所定部位を、長手方向を含み、当該長手方向を左右にして中心部で略左右対称な所定形状に押圧して、外周縁となるべき箇所を接着、且つ、切断してパッドを得る第１の工程と、
上記第１の工程で得られた上記パッドを、上記中心部で切断し、一対のイヤーパッドを得る第２の工程とを有することを特徴とするイヤーパッドの製造方法。
【発明の詳細な説明】
【０００１】
【発明の属する技術分野】
この発明は、バーチカルタイプのヘッドホンのハウジングに装着するイヤーパッドの製造方法に関する。詳しくは、重ね合わされた２枚の素材シートの外周縁を接着しながら所定形状に切断してパッドを得、その後に上記パッドを、その長手方向を左右にして左右対称となる上記パッドの中心で切断し、一対のイヤーパッドを得ることによって、バーチカルタイプのヘッドホンのハウジングに装着するイヤーパッドを容易に得るようにしたイヤーパッドの製造方法に係るものである。
【０００２】
【従来の技術】
軽量タイプのヘッドホンには、一般に、ドライバーユニットが内蔵されたハウジングを耳にのせて使用する耳のせタイプのヘッドホンと、ドライバーユニットが外耳道に正対するように上記ハウジングを耳内に挿入して使用するバーチカルタイプのヘッドホンがある。
【０００３】
図９は、耳のせタイプのヘッドホンの一例を示している。このヘッドホン１０は、ドライバーユニット（図示せず）を内蔵する左右のハウジング１１Ｌ、１１Ｒと、これらハウジング１１Ｌ、１１Ｒをそれぞれ支持する左右のハンガー１２Ｌ、１２Ｒと、これらハンガー１２Ｌ、１２Ｒを摺動自在に固定するヘッドバンド１３と、音響機器に接続するためのプラグ１４と、このプラグ１４よりハウジング１１Ｌ、１１Ｒに内蔵されたドライバーユニットに音声信号を供給するケーブル１５とから構成されている。
【０００４】
この場合、ハンガー１２Ｌ、１２Ｒは、それぞれハウジング１１Ｌ、１１Ｒをドライバーユニットの背面側に対応する部位で支持する構成となっている。そして、ハウジング１１Ｌ、１１Ｒには、図１０に示すように、正面側および側面周囲を覆うようにイヤーパッド１６Ｌ、１６Ｒが装着されている。なお、図１０において、１７Ｌは、ドライバーユニットである。ハウジング１１Ｌ、１１Ｒをイヤーパッド１６Ｌ、１６Ｒで被覆することで、耳への装着感の向上、外部への音漏れ防止等が図られている。
【０００５】
次に、図８は、バーチカルタイプのヘッドホンの一例を示している。このヘッドホン２０は、ドライバーユニット（図示せず）を内蔵する左右のハウジング２１Ｌ、２１Ｒと、これらハウジング２１Ｌ、２１Ｒをそれぞれ支持する左右のハンガー２２Ｌ、２２Ｒと、これらハンガー２２Ｌ、２２Ｒを摺動自在に固定するヘッドバンド２３と、音響機器に接続するためのプラグ２４と、このプラグ２４よりハウジング２１Ｌ、２１Ｒに内蔵されたドライバーユニットに音声信号を供給するケーブル２５とから構成されている。
【０００６】
上述したように、バーチカルタイプのヘッドホンは、ドライバーユニットが外耳道に正対するようにハウジングを耳内に挿入して使用するものであり、ハンガー２２Ｌ、２２Ｒを、ドライバーユニットの側面に対応する部位で支持する構成となっている。
【０００７】
【発明が解決しようとする課題】
上述したバーチカルタイプのヘッドホン２０のハウジング２１Ｌ、２１Ｒに装着するイヤーパッドは従来存在していない。上述したように、ハウジング２１Ｌ、２１Ｒの側面がそれぞれハンガー２２Ｌ、２２Ｒで支持される構成となっているため、ハウジング１１Ｌ、１１Ｒの背面がそれぞれハンガー１２Ｌ、１２Ｒで支持される構成の図９に示す耳のせタイプのヘッドホン１０におけるイヤーパッド１６Ｌ、１６Ｒと同様のイヤーパッドを装着することはできない。
【０００８】
ハウジング２１Ｌ、２１Ｒにイヤーパッドが装着されていない場合、例えば、バーチカルタイプのヘッドホン２０を航空機内で乗客サービスとして使用する場合、上述したようにハウジング２１Ｌ、２１Ｒを直接耳内に挿入して使用するものであるため、衛生面での問題が生じる。また、ハウジング２１Ｌ、２１Ｒにイヤーパッドが装着されていない場合、装着感が低下するという不都合もある。
【０００９】
そこで、この発明では、バーチカルタイプのヘッドホンのハウジングに容易に装着し得るイヤーパッドの製造方法を提供することを目的とする。
【００１０】
【課題を解決するための手段】
この発明に係るイヤーパッドの製造方法は、ドライバーユニットが外耳道に正対するようにドライバーユニットを内蔵するハウジングを耳内に挿入して使用するバーチカルタイプのヘッドホンに使用されるイヤーパッドの製造方法であって、２枚の素材シートを重ね合わせ、当該２枚の素材シートの所定部位を、長手方向を含み、当該長手方向を左右にして中心部で略左右対称な所定形状に押圧して、外周縁となるべき箇所を接着、且つ、切断してパッドを得る第１の工程と、第１の工程で得られたパッドを中心部で切断し、一対のイヤーパッドを得る第２の工程とを有するものである。
【００１１】
この発明においては、まず重ね合わされた２枚の素材シートに対し、例えば切断刃を持つ接着工具を用いて、外周縁を接着しながら所定形状、例えば略楕円形状に切断してパッドが得られる。接着は、高周波ウエルダー（超音波接着）や加熱（熱融着）などで行われる。また、素材シートとしては、ウレタンフォームなどの素材シートが使用される。次に、そのパッドが長手方向を左右にして左右対称となるパッドの中心で切断され、一対のイヤーパッドが得られる。
【００１２】
このイヤーパッドは、ドライバーユニットを内蔵するハウジングを覆う被覆部と、ハウジングの側面側より挿入するための開口部とを備える袋状の構成となるため、バーチカルタイプのヘッドホンのハウジングに容易に装着し得る。
【００１３】
【発明の実施の形態】
以下に図面を参照しながら、この発明の実施の形態について説明する。図１Ａおよび図１Ｂは、それぞれこの発明の方法で製造されたイヤーパッド３０の斜視図および平面図を示している。このイヤーパッド３０は、バーチカルタイプのヘッドホン（図８参照）のハウジングに装着されるものである。
【００１４】
このイヤーパッド３０は、ヘッドホンのドライバーユニットが内蔵されたハウジングを覆う被覆部５２ｃと、ハウジングを開放されている側面側より挿入するための開口部５２ｂとを有している。被覆部５２ｃは、ドライバーユニットの正面側に配される第１の部材５２ｃ1とその背面側に配される第２の部材５２ｃ2からなり、開口部５２ｂを除く部位の外周縁５２ａがある面寸法で接着された構成となっている。
【００１５】
ここで、イヤーパッド３０の被覆部５２ｃの素材としては、例えばウレタンフォームなどの多泡性物質が使用される。ウレタンフォームの有する特性は弾力・伸縮性、感触性に富んでいることである。この特性はヘッドホンのイヤーパッドの素材に用いるのに大変適している。すなわち弾力・伸縮性はパッドの装着性を高めるものであり、感触性はイヤーパッドが耳の肌への感触性を向上させるものである。
【００１６】
次に、上述したイヤーパッド３０の製造方法について説明する。図２はイヤーパッドの製造工程を示している。イヤーパッド３０の製造工程は大きく分けて二つの工程からなる。すなわち、接着切断工程Ａを経て、中央切断工程Ｂに移る。各工程について以下に詳細を説明する。
【００１７】
（Ａ）接着切断工程（図２Ａ参照）
ウレタンフォームなどの素材シート５１を上下に２枚重ね合わせて、受け治具としてのベース６０の上に載せ、上方より接着工具４０で押圧し、外周縁５１ａとなるべき箇所を接着しながら略楕円形状のパッド５２を切断して得る。
【００１８】
ここで接着工具４０は図３に示すように、中空形状で下面外側に切断刃４０ａが形成されていると共に、その内側に平坦な接着面４０ｂが形成されている。図４には接着されたパッド５２の外周縁５２ａを拡大して図示するものである。図に示すように、切断された素材シート５１の外周縁の端部より、接着工具４０の接着面４０ｂに相当する接着面の寸法をもって、上下の素材シート５１が接着される。この接着工具４０による接着は、高周波ウエルダー（超音波接着）や加熱（熱融着）などにより行われる。また実際のイヤーパッドの量産時においては、図５にパッド５２の切断跡５３を示すように、多数個のパッド５２が同時に製造されるように、幅の広い素材シート５１が用いられる。
【００１９】
（Ｂ）中央切断工程（図２Ｂ参照）
接着切断工程で製造されたパッド５２を、その長手方向を左右にして、その中心で左右対称に切断する。切断されたパッドは一対で左右のイヤーパッド３０、３０となる。
【００２０】
図６は、上述の製造方法によって製造されたイヤーパッド３０をバーチカルタイプのヘッドホンのハウジング２１Ｌに装着する際の様子を示している。図６のように、ヘッドホンのハウジング２１Ｌをその開放されている側面側よりイヤーパッド３０の開口部５２ｂを通して内部に挿入することで、人の手で容易に装着できる。また、図７は、装着後の状態を示している。なお、図６、図７は左側のみを示している。
【００２１】
【発明の効果】
この発明によれば、重ね合わされた２枚の素材シートの外周縁を接着しながら所定形状に切断してパッドを得、その後に上記パッドをその長手方向を左右にして左右対称となる上記パッドの中心で切断して一対のイヤーパッドを得るものであり、バーチカルタイプのヘッドホンのハウジングに装着するイヤーパッドを容易に得ることができる。
【図面の簡単な説明】
【図１】この発明の製造方法によって製造されたイヤーパッドの外観を示す図である。
【図２】この発明の製造方法の製造工程を説明する図である。
【図３】接着工具の切断刃の部分を拡大して示す図である。
【図４】イヤーパッドの外周縁部分を拡大して示す図である。
【図５】イヤーパッドを量産時に使用する素材シートを説明する図である。
【図６】この発明の製造方法によって製造されたイヤーパッドをハウジングに装着する様子を示す図である。
【図７】ハウジングに装着されたイヤーパッドの外観を示す図である。
【図８】従来のバーチカルタイプのヘッドホンの外観を示す図である。
【図９】従来の耳のせタイプのヘッドホンの外観を示す図である。
【図１０】従来の耳のせタイプのヘッドホンのハウジングに装着されるイヤーパッドを示す図である。
【符号の説明】
１０  耳のせタイプのヘッドホン
１１，２１  ハウジング
２０  バーチカルタイプのヘッドホン
１６，３０  イヤーパッド
４０  接着工具
４０ａ  切断刃
４０ｂ  接着面
５１  素材シート
５２  パッド
５２ａ  外周縁
５２ｂ  開口部
５２ｃ  被覆部
【図１】
0003937610.tif 000002
【図２】
0003937610.tif 000003
【図３】
0003937610.tif 000004
【図４】
0003937610.tif 000005
【図５】
0003937610.tif 000006
【図６】
0003937610.tif 000007
【図７】
0003937610.tif 000008
【図８】
0003937610.tif 000009
【図９】
0003937610.tif 000010
【図１０】
0003937610.tif 000011